(57)【要約】左右一対のアイカップ２、２を有するスイミングゴーグルにおいて、前記アイカップ２が、目の周りに当接される当接部５と、その当接部５に設けられ、装着時、視野方向前方に所定距離延出している周壁部６と、下端部が周壁部６の下部の前端部に配設され、上端部が前記当接部５又はその近傍に配設された前方視野部７とからなり、視野の改善、特に上方の視野の改善を図る。
2002045804.tif 000002
【特許請求の範囲】
【請求項１】
左右一対のアイカップを有するスイミングゴーグルにおいて、前記アイカップが、目の周りに当接される当接部と、その当接部に設けられ、装着時、視野方向前方に所定距離延出している周壁部と、その周壁部の下部の前端部に下端部が配設され、上端部が前記当接部又はその近傍に配設された前方視野部とからなることを特徴とするスイミングゴーグル。
【請求項２】
前記前方視野部が平板状に形成されている請求の範囲第１項記載のスイミングゴーグル。
【請求項３】
前記前方視野部が、下端部から所定距離上方まで視野方向とほぼ直交する垂直部と、その垂直部上端から前記当接部又はその近傍まで視野方向後方側に傾斜した傾斜部とからなる請求の範囲第１項に記載のスイミングゴーグル。
【請求項４】
前記垂直部と傾斜部との境目が湾曲されている請求の範囲第３項に記載のスイミングゴーグル。
【請求項５】
前記前方視野部が湾曲状に形成されている請求の範囲第１項に記載のスイミングゴーグル。
【請求項６】
前記周壁部と前方視野部の境目が湾曲されている請求の範囲第１項に乃至第５項のいずれか１項に記載のスイミングゴーグル。
【請求項７】
前記前方視野部は、その下端部よりも上端部が低く形成されていることを特徴とする請求の範囲第１項に乃至第６項のいずれか１項に記載のスイミングゴーグル。
【請求項８】
前記前方視野部の下端部が、装着する泳者の目の位置よりも下方に位置させられていることを特徴とする請求の範囲第１項乃至第７項のいずれか１項に記載のスイミングゴーグル。
【発明の詳細な説明】
技術分野
本発明はスイミングゴーグルに関し、特に競泳用に最適なスイミングゴーグルに関する。
技術背景
スイミングゴーグルは、目だけを覆い目を保護すると共に目の前に空間を作り目の焦点を合わすものである。人間の目は目の前に空間が無いと焦点が合わず、水の中で目を開けたとき、ボーっとして見えずらい。
スイミングゴーグルとしては、連結ベルトで連結した一対のアイカップの両端部間に着用ベルトを取り付けたものが一般的である。
前述のスイミングゴーグルの一対のアイカップは、第６図に示すように、それぞれ目の前の空間を確保するために、装着時、その前方視線方向に沿って延在する筒状の周壁部１４の前方端部に、前方視線方向とほぼ直交する平板状の前方視野部１３を透明の樹脂等で一体的に成形されている。このように、平板状の前方視野部１３を目から所定の間隔を隔てた位置に筒状の周壁部１４で保持していると、前方の視野は前方視野部１３を介して良好であるが、上方の視野は周壁部１４を介することになり水の中では悪い。すなわち、周壁部１４は透明の樹脂等で成形されているため、ある程度の視野は確保できるが、泳いでいる最中、水の中では、水の泡や乱反射等により、視野が悪くなる。
一般に、泳いでいる時は、目を上目使いにして、泳ぐ前方を見るため、周壁部の上方の視野が悪いと、視野を確保するため、頭を持ち上げた状態（顎を上げた状態）で泳がなければならない。頭を持ち上げると、体部分が沿ってしまったり、手をスムーズにまわすことができなかったりし、よい姿勢で泳ぐことができなくなってしまう結果となる。泳ぐ時の姿勢は、ほんの少し頭をもち上げた状態がよいとされる。
このように、従来のスイミングゴーグルは、泳ぐことを考えたものではなく、ゴーグルに泳ぐ者があわせなければならなかった。
そこで、本発明は、このような実状に鑑みなされたものであり、その目的は、視野の改善、特に上方の視野の改善を図れるスイミングゴーグルを提供することにある。
発明の開示
本発明のスイミングゴーグルは、左右一対のアイカップを有するスイミングゴーグルにおいて、前記アイカップが、目の周りに当接される当接部と、その当接部に設けられ、装着時、視野方向前方に所定距離延出している周壁部と、下端部が周壁部の下部の前端部に配設され、上端部が前記当接部又はその近傍に配設された前方視野部とからなるものである。
前記前方視野部が平板状に形成されていることが好ましい。
前記前方視野部が、下端部から所定距離上方まで視野方向とほぼ直交する垂直部と、その垂直部上端から前記当接部又はその近傍まで視野方向後方側に傾斜した傾斜部とからなることが好ましい。また、垂直部と傾斜部との境目が湾曲されていることが好ましい。
前記前方視野部が湾曲状に形成されていることが好ましい。
前記周壁部と前方視野部の境目が湾曲されていることが好ましい。
また、前記前方視野部は、その下端部よりも上端部が低く形成されていることが好ましく、さらに、前記前方視野部の下端部が、装着する泳者の目の位置よりも下方に位置させられていることが好ましい。
発明を実施するための最良の形態
本発明をより詳細に説明するために、添付図面を参照してこれを説明する。
第１図及び第２図は本発明のスイミングゴーグルの一例を示す図である。第３図は本発明のアイカップの一例を示す断面図である。第４図及び第５図は本発明のアイカップの他の例を示す断面図である。
第１図乃至第３図において、１はスイミングゴーグルを示し、このスイミングゴーグル１は、目だけを覆い目を保護する左右一対のアイカップ２，２と、一対のアイカップ２，２を連結する連結バンド３と、連結した一対のアイカップ２，２の両端部に取り付けられ、長さ調節可能な装着バンド４とからなる。
連結バンド３は、可撓性を有すると共に伸縮可能な材料、例えばポリウレタン樹脂等の軟質樹脂材料で成形され、かつ、一対のアイカップ２，２間の長さを調節可能なものが使用される。装着バンド４は、長さを調節でき、伸縮可能なものであればどのようなものでもよく、例えばゴム系の伸縮弾性材料で成形されたバンドが使用される。
一対のアイカップ２，２は、それぞれ、目の周りに当接される当接部５と、その当接部５に設けられ、装着時、視野方向前方に所定距離延出している周壁部６と、下端部が周壁部６の下部の前端部に配設され、上端部が前記当接部５又はその近傍に配設された前方視野部７とからなる。アイカップ２は、透明樹脂、例えばセルロース樹脂、アクリル樹脂、ポリカーボネート等の透明樹脂で一体成形したり、前方視野部７のみ透明樹脂でその他の当接部５及び周壁部６を硬質材料等で成形してもよい。
当接部５は、目の周りに当接した時に隙間から水がアイカップ２内に入らないような形状に形成されている。当接部５には、密着性を良くすると共に、眼の周りが痛くならないようにするクッション８が設けられている。
このクッション８は必要に応じて省略することも可能である。
周壁部６は、一端に当接部５が、他端に前方視野部７がそれぞれ設けられ、下部及び左右部が視野方向前方に所定距離延出する形状（ほぼ筒状に近い形状）に形成されている。周壁部６の上部の一部又は全部は周壁部としては形成されることはなく、前方視野部７の上端部が直接当接部５に接続されているか、又は、周壁部６の上部は視野方向への長さが極端に短く形成される。つまり前方視野部７の上端部が直接当接部５に接続されているか、当接部近傍に位置されている。
周壁部６の下部及び左右部は、視野方向に平行に形成しても良いし、又は、視野方向前方に向かって、目側に漸次傾斜するようにして形成しても良い。好ましくは、水の中での抵抗を考慮すると傾斜する方が良い。
前方視野部７（レンズ面）の形状は、前方視野部７が当接部５又はその近傍まで延在する限り特に限定されず、例えば、第３図に示すように、平板状に形成されている。また、前方視野部７（レンズ面）は、第４図に示すように、下端部から所定距離上方まで視野方向とほぼ直交する垂直部９と、その垂直部９上端から前記当接部５又はその近傍まで視野方向後方側に傾斜した傾斜部１０とからなる形状でも良い。この場合、垂直部と傾斜部との境目１１が湾曲されていることが好ましい。
そして、前記垂直部９と傾斜部１０との境目１１の位置は、第１０図に示すように、装着した状態において、目Ｅの中心位置より下方に位置されることが好ましい。
これは、前記境目１１が、目Ｅの視野方向と同レベルであると、水中において、前記前方視野部７を形成する傾斜部１０における光の屈折によって、実際の距離と、感覚的な距離との間に差が生じてしまうことを防止するためである。
たとえば、前記境目１１が、前述したように目Ｅの視野方向と同レベルであると、実際の距離よりも約１０ｃｍ近い位置に物体が位置するように見える。
したがって、クイックターンを行う場合におけるタッチが早まり、正確なタッチが行えない場合が生じ、１００分の１秒を競う競泳においては致命的なものとなる。
そして、この境目１１を目Ｅの中心よりも下方にずらす程、前述した誤差が小さく抑えられるとともに、目の中心より下方とすることにより視界の妨げがなくなり、良好な視界が確保される。
また、前方視野部７（レンズ面）は、第５図に示すように、湾曲状に形成してもよい。
また、第１図乃至第５図に示すように、前方視野部７の下端部と周壁部６の下部との境目１２が湾曲されていることが好ましい。このように、境目１２が湾曲されていると、前方視野部７に横線が入らず視野が良好になる。
さて、このように、本発明のスイミングゴーグル１を構成することにより、前方の視野を従来と同様に確保することができると共に、前方視野部７の上端部がアイカップ２の当接部５又はその近傍に配設されるため、上方の視野も良好になり、視野範囲が広がる。
すなわち、従来は、第６図に示すように、前方視野部１３の上端部が周壁部１４の上部に接続されて、上方の視野は周壁部１４の上部を介しているため、泳いでいる最中、水の中では、前方視野部１３の上端部と周壁部１４の上部との鈍角な境界（境目１５）により周壁部１４の上部の外側が水の泡や乱反射等により視界が悪くなる。これに対して、本発明のスイミングゴーグル１では、第１図乃至第５図に示すように、前方視野部７の上端部がアイカップ２の当接部５又はその近傍に配設されて、前方視野部７が当接部５又はその近傍まで延在しているため、従来あった境目１５がないので、前方視野部７の上方の外側で水の泡や乱反射等が起こらず、上方の視界が良好になる。従って、視野の改善、特に上方の視野の改善を図れることになる。
このスイミングゴーグル１を装着して泳ぐと、前方（ゴーグル１の上方）の視野が良好であるので、目を動かすだけで前方を見ることができ、必然的に姿勢も良くなり、タイムの上がることになると思われる。また、混雑したプール内においても視野が広がるため、他の人とぶつかったりすることなく、安心して泳ぐことが可能となる。このように、安全面も同時に確保することができ、実用的効果はきわめて大きい。
一方、前記前方視野部７を構成する傾斜部１０は、その下端部を、第７図、第８図、および、第１１図に示すように、上端部に対して高く形成することが好ましく、また、第９図および第１０図に示すように、装着した状態において、前記傾斜部１０と垂直部９との境目１１が、泳者Ｈの目Ｅの下瞼近傍に位置するように形状設定を行うことが好ましい。
そして、第１１図に示すように、前記傾斜部１０と、視野方向と直交する面との交差角をθとすると、この交差角θを０乃至４０°の範囲に設定すると、第１２図に示すように、その視角Ｗは、３１°乃至６７°の範囲となり、大きな仰角が得られる。
ちなみに、従来のスイミングゴーグルにあっては、前記視角Ｗが、２０°乃至４１°である。
したがって、泳者Ｈは、頭を極力水平状態に保持したままの姿勢で前方を確認することができ、水の抵抗が少なくて済む。
なお、図中において使用した符号は以下の通りである。
１　スイミングゴーグル
２　アイカップ
３　連結バンド
４　装着バンド
５　当接部
６　周壁部
７　前方視野部
８　クッション
９　垂直部
１０　傾斜部
１１　境目
１２　境目
１３　前方視野部
１４　周壁部
１５　境目
産業上の利用可能性
以上説明したように、本発明のスイミングゴーグルは、視野の改善、特に上方の視野の改善を図れる。
【図面の簡単な説明】
第１図は、本発明のスイミングゴーグルの一例を示す正面図である。
第２図は、第１図に示す本発明のスイミングゴーグルの上面図である。
第３図は、本発明のアイカップの一例を示す断面図である。
第４図は、本発明のアイカップの他の例を示す断面図である。
第５図は、本発明のアイカップの他の例を示す断面図である。
第６図は、従来のアイカップを示す断面図である。
第７図は、本発明のスイミングゴーグルの他の例を示す正面図である。
第８図は、第７図に示すスイミングゴーグルの断面図である。
第９図は、第７図に示すスイミングゴーグルを、泳者が装着した状態を示す正面図である。
第１０図は、第７図に示すスイミングゴーグルと、泳者の目との位置関係を示す正面図である。
第１１図は、第７図に示すスイミングゴーグルの断面図である。
第１２図は、泳者の視角を示す側面図である。
【図１】
2002045804.tif 000003
【図２】
2002045804.tif 000004
【図３】
2002045804.tif 000005
【図４】
2002045804.tif 000006
【図５】
2002045804.tif 000007
【図６】
2002045804.tif 000008
【図７】
2002045804.tif 000009
【図８】
2002045804.tif 000010
【図９】
2002045804.tif 000011
【図１０】
2002045804.tif 000012
【図１１】
2002045804.tif 000013
【図１２】
2002045804.tif 000014
【手続補正書】
【提出日】平成13年6月18日(2001.6.18)
【手続補正１】
【補正対象書類名】明細書
【補正対象項目名】特許請求の範囲
【補正方法】変更
【補正の内容】
【特許請求の範囲】
【請求項１】
（補正後）左右一対のアイカップを有するスイミングゴーグルにおいて、前記アイカップが、目の周りに当接される当接部と、その当接部に設けられ、装着時、視野方向前方に所定距離延出している周壁部と、その周壁部に配設された前方視野部とからなり、前記周壁部の上部は視野方向への長さが極端に短く形成されていることを特徴とするスイミングゴーグル。
【請求項２】
（補正後）左右一対のアイカップを有するスイミングゴーグルにおいて、前記アイカップが、目の周りに当接される当接部と、その当接部に設けられ、装着時、視野方向前方に所定距離延出している周壁部と、その周壁部に配設された前方視野部とからなり、該前方視野部の上端部は前記当接部の近傍に位置するように形成されていることを特徴とするスイミングゴーグル。
【請求項３】
（補正後）左右一対のアイカップを有するスイミングゴーグルにおいて、前記アイカップが、目の周りに当接される当接部と、その当接部に設けられ、装着時、視野方向前方に所定距離延出している周壁部と、その周壁部に配設された前方視野部とからなり、該視野部の上端部が直接前記当接部に接続されていることを特徴とするスイミングゴーグル。
【請求項４】
（補正後）前記前方視野部が平板状に形成されている請求の範囲第１項乃至第３項のいずれか１項に記載のスイミングゴーグル。
【請求項５】
（補正後）前記前方視野部が、下端部から所定距離上方まで視野方向とほぼ直交する垂直部と、その垂直部上端から前記当接部又はその近傍まで視野方向後方側に傾斜した傾斜部とからなる請求の範囲第１項乃至第３項のいずれか１項に記載のスイミングゴーグル。
【請求項６】
（補正後）前記垂直部と傾斜部との境目が湾曲されている請求の範囲第５項に記載のスイミングゴーグル。
【請求項７】
（補正後）前記前方視野部が湾曲状に形成されている請求の範囲第１項乃至第３項のいずれか１項記載に記載のスイミングゴーグル。
【請求項８】
（補正後）前記周壁部と前方視野部の境目が湾曲されている請求の範囲第１項乃至第７項のいずれか１項に記載のスイミングゴーグル。
【請求項９】
（追加）前記前方視野部は、その下端部よりも上端部が低く形成されていることを特徴とする請求の範囲第１項乃至第８項のいずれか１項に記載のスイミングゴーグル。
【請求項１０】
（追加）前記前方視野部の下端部が、装着する泳者の目の位置よりも下方に位置させられていることを特徴とする請求の範囲第１項乃至第９項のいずれか１項に記載のスイミングゴーグル。
【請求項１１】
（追加）視野方向前方に向かって、目側に漸次傾斜するようにして形成していることを特徴とする請求の範囲第１項乃至第１０項のいずれか１項に記載のスイミングゴーグル。
【請求項１２】
（追加）前記傾斜は、水の中での抵抗を考慮して形成されていることを特徴とする請求の範囲第１１項に記載のスイミングゴーグル。
【国際調査報告】
2002045804.tif 000015
2002045804.tif 000016
2002045804.tif 000017